(57)【要約】【課題】  情報処理装置に接続されたリーダライタ装置の設定情報の管理を簡素化することができる情報システムを提供すること。【解決手段】  本発明に係る情報システム１は、無線タグ２００と無線を介してデータ通信を行うリーダライタ装置１５１〜１５３が接続された情報処理装置１１２と、情報処理装置１１２に接続された情報処理装置１１１とから構成される。  情報処理装置１１２は、データ通信可能に設定されたリーダライタ装置１５１〜１５３の設定情報を記憶している。  情報処理装置１１１の設定情報処理部１２１は、情報処理装置１１１の起動時に、情報処理装置１１２に記憶されたリーダライタ装置１５１〜１５３の設定情報を取得し、取得した当該設定情報を、情報処理装置１１２を介してリーダライタ装置１５１〜１５３とデータ通信を行えるように設定変更する。【選択図】          図１
2006277301.tif 000002
【特許請求の範囲】
【請求項１】
無線タグと無線を介してデータ通信を行うリーダライタ装置が接続された第一の情報処理装置と、上記第一の情報処理装置に接続された第二の情報処理装置とから構成される情報システムであって、
上記第一の情報処理装置は、上記リーダライタ装置とデータ通信可能に設定された設定情報を記憶し、
上記第二の情報処理装置は、
上記第一の情報処理装置に記憶された上記リーダライタ装置の設定情報を取得し、取得した上記リーダライタ装置の設定情報を、上記第二の情報処理装置が上記第一の情報処理装置を介して上記リーダライタ装置とデータ通信を行えるように、設定変更する設定情報処理部を有し、
上記第二の情報処理装置は、上記設定情報処理部で設定変更された上記リーダライタ装置の設定情報に基づいて、上記リーダライタ装置とデータ通信をすることを特徴とする情報システム。
【請求項２】
上記設定情報処理部は、上記第二の情報処理装置が起動したときに、動作することを特徴とする請求項１に記載の情報システム。
【請求項３】
上記設定情報処理部は、取得した上記リーダライタ装置の設定情報のうち通信ポートを、上記第二の情報処理装置と共通となるように設定変更することを特徴とする請求項１に記載の情報システム。
【請求項４】
上記設定情報処理部は、取得した上記リーダライタ装置の設定情報のうちアドレスを、上記第二の情報処理装置と共通形式となるように設定変更することを特徴とする請求項１に記載の情報システム。
【請求項５】
上記設定情報処理部は、取得した上記リーダライタ装置の設定情報のうちデータ通信速度を、上記第二の情報処理装置が制御可能なデータ通信速度となるように設定変更することを特徴とする請求項１に記載の情報システム。
【請求項６】
上記設定情報処理部は、取得した上記リーダライタ装置の設定情報のうちデータ通信周波数を、上記第二の情報処理装置が制御可能な周波数となるように設定変更することを特徴とする請求項１に記載の情報システム。
【請求項７】
上記第一の情報処理装置は、第二の情報処理装置が起動したときに、上記リーダライタ装置の設定情報を、上記第二の情報処理装置へ通知することを特徴とする請求項１に記載の情報システム。
【発明の詳細な説明】
【技術分野】
【０００１】
この発明は、情報システムに関し、特にＲＦＩＤ（Radio Frequency Identification）タグ等と無線を介してデータ通信をするリーダライタ装置が接続された複数の情報処理装置を有する情報システムに関する。
【背景技術】
【０００２】
近年、ＲＦＩＤシステムが注目されており、様々な用途に適用され始めている。
ＲＦＩＤシステムは、ＲＦＩＤタグと無線を介してデータ通信をするＲＦＩＤリーダライタ装置と、このＲＦＩＤリーダライタ装置を制御するコンピュータとから構成されている。
ＲＦＩＤリーダライタ装置は、ＲＦＩＤタグに記憶されたデータに対して、読み出しまたは書き込みを行うことができる。
ＲＦＩＤタグは、ラベル型、カード型、コイン型、スティック型など様々な形状があり、用途に応じて選択される。通信距離は数ｍｍ程度のものから数十ｍのものがあり、用途に応じて、使い分けられる。
【０００３】
従来、例えば、ＲＦＩＤタグとデータ通信をするＲＦＩＤリーダライタ装置が接続されたパソコンを複数有し、これら複数のパソコンを階層化して接続するＲＦＩＤシステムが提案されていた。
このとき、複数のパソコンの各々は、各パソコンに接続されたＲＦＩＤリーダライタ装置のＩＰアドレスや通信速度等の設定情報を取り込み、ＲＦＩＤリーダライタ装置との間でデータ通信を確立させている。また、階層化されて接続された複数のパソコンのうち、最上位階層に設定されたサーバ用パソコンは、下位層の全てのパソコンのＩＰアドレス等の設定情報を取得し、また、下位層のパソコンに接続された全てのＲＦＩＤ無線タグのＩＰアドレスや通信速度等の設定情報を取得しており、ＲＦＩＤシステム全体を一元的に管理していた。
【０００４】
参考技術として、ＲＦＩＤリーダ装置が接続された複数のパソコンを有するＲＦＩＤシステムであって、複数のパソコンが階層化されて接続されたＲＦＩＤシステムが提案されている。このＲＦＩＤシステムでは、最上位層に設けられたサーバが各パソコンによる処理結果を集計する（特許文献１）。
【特許文献１】特開２００４−３１８２８３号公報（図１）
【発明の開示】
【発明が解決しようとする課題】
【０００５】
しかしながら、従来のＲＦＩＤシステムでは、ＲＦＩＤシステム全体を一元的に管理するために、最上位層に設定されたサーバ用パソコンで、下位層の全てのパソコンやのＲＦＩＤタグのＩＰアドレス等の設定情報を取得する必要があり、サーバ用パソコンの管理が複雑なものとなっていた。
【課題を解決するための手段】
【０００６】
本発明に係る情報システムは、無線タグと無線を介してデータ通信を行うリーダライタ装置が接続された第一の情報処理装置と、第一の情報処理装置に接続された第二の情報処理装置とから構成される情報システムであって、第一の情報処理装置は、リーダライタ装置とデータ通信可能に設定された設定情報を記憶し、第二の情報処理装置は、第一の情報処理装置に記憶された上記リーダライタ装置の設定情報を取得し、取得したリーダライタ装置の設定情報を、上記第二の情報処理装置が上記第一の情報処理装置を介して上記リーダライタ装置とデータ通信を行えるように、設定変更する設定情報処理部を有し、第二の情報処理装置は、設定情報処理部で設定変更されたリーダライタ装置の設定情報に基づいて、リーダライタ装置とデータ通信をすることを特徴とするものである。
このような構成としたことにより、第二の情報処理装置は、第一の情報処理装置に接続されたリーダライタ装置の設定情報を常時、保持・管理することなく、当該リーダライタ装置とデータ通信を行えるので、複数の情報処理装置が階層化されて構成された情報システム内で、情報処理装置に接続されたリーダライタ装置の設定情報の管理を簡素化することができる。
【発明の効果】
【０００７】
本発明により、複数の情報システムが階層化されて構成された情報システム内で、情報処理装置に接続されたリーダライタ装置の設定情報の管理を簡素化することができる。
【発明を実施するための最良の形態】
【０００８】
本発明の実施の形態に係る情報システムの構成について、図に基づいて説明する。
図１は、本発明の実施の形態に係る情報システムの構成を示す図である。
図２は、情報処理装置の情報記憶部の内部構成を示す図である。
図１に示されるように、本発明の実施の形態に係る情報システム１は、ＲＦＩＤリーダライタ装置（以下、リーダライタ装置と称する）１５１〜１５７が接続された複数の情報処理装置１１１〜１１３を有する。情報処理装置１１１〜１１３には、例えばパソコンやサーバ等が含まれる。
また、本発明の実施の形態に係る情報システム１は、複数の情報処理装置１１１、１１２、１１３を有しており、情報処理装置１１１は情報処理装置１１２および１１３に接続されている。なお、情報処理装置１１１および情報処理装置１１２、１１３の間の接続は、有線であっても無線であってもよい。
【０００９】
情報処理装置１１１には、リーダライタ装置１５７が接続されている。また、情報処理装置１１２には、リーダライタ装置１５１〜１５３が接続されている。また、情報処理装置１１３には、リーダライタ装置１５４〜１５６が接続されている。なお、各情報処理装置１１１〜１１３およびリーダライタ装置１５１〜１５７の間の接続は、有線であっても無線であってもよい。
リーダライタ装置１５１〜１５７は、情報処理装置１１１、１１２、１１３の指示に従って、近接された無線タグ２００に記憶されたデータに対して、電磁波を介して読み出しまたは書き込みを行う等のデータ通信を行う。なお、リーダライタ装置１５１〜１５７は、コイル型のアンテナを有し、このコイル型のアンテナを用いて、無線タグ２００とデータ通信を行う。
【００１０】
無線タグ２００は、コイル型のアンテナを有し、このコイル型のアンテナを用いて、リーダライタ装置１５１〜１５７とデータ通信を行う。無線タグ２００には、例えば、当該無線タグ２００が取り付けられる商品や製品のＩＤや価格や製造記録や販売ルート等の情報が記憶されている。
各情報処理装置１１１〜１１３は、設定情報処理部１２１〜１２３、情報通知部１４１〜１４３および情報通知部１４１〜１４３を備えている。
【００１１】
図１に示されるように、各情報処理装置１１１〜１１３の設定情報処理部１２１〜１２３は、下位層における接続先の情報処理装置１１１〜１１３およびリーダライタ装置１５１〜１５７の各設定情報を取得し、下位層における接続先の情報処理装置１１１〜１１３およびリーダライタ装置１５１〜１５７とデータ通信できるように、下位層における接続先の情報処理装置１１１〜１１３およびリーダライタ装置１５１〜１５７の各設定情報を初期化、すなわち設定変更する。
例えば、情報処理装置１１１を例にすると、情報処理装置１１１の設定情報処理部１２１は、下位層における接続先の情報処理装置１１２、１１３およびリーダライタ装置１５７の各設定情報を取得し、下位層における接続先の情報処理装置１１２、１１３およびリーダライタ装置１５７とデータ通信できるように、下位層における接続先の情報処理装置１１２、１１３およびリーダライタ装置１５７の各設定情報を初期化する。
【００１２】
ここで、情報処理装置１１１〜１１３の設定情報とは、通信ポート、ＩＰアドレス等を含む情報処理装置１１１〜１１３の通信条件の設定に関する情報である。
また、リーダライタ装置１５１〜１５７の設定情報とは、通信ポート、ＩＰアドレス、当該リーダライタ装置１５１〜１５７と情報処理装置１１１〜１１３との間の通信速度や通信タイムアウト時間や通信周波数、無線タグ２００からのデータ読み出し周期等を含むリーダライタ装置１５１〜１５７の通信条件の設定に関する情報である。
また、第二の情報処理装置としての情報処理装置１１１の設定情報処理部１２１は、第一の情報処理装置としての情報処理装置１１２の情報記憶部１３２に記憶されたリーダライタ装置１５１〜１５３の設定情報を取得し、取得したリーダライタ装置１５１〜１５３の設定情報を、情報処理装置１１２を介してリーダライタ装置１５１〜１５３とデータ通信を行えるように、リーダライタ装置１５１〜１５３の設定情報を設定変更する。
【００１３】
同様に、第二の情報処理装置としての情報処理装置１１１の設定情報処理部１２１は、情報処理装置１１３の情報記憶部１３３に記憶されたリーダライタ装置１５１〜１５３の設定情報を取得し、取得したリーダライタ装置１５４〜１５６の設定情報を、情報処理装置１１３を介してリーダライタ装置１５４〜１５６とデータ通信を行えるように、リーダライタ装置１５４〜１５６の設定情報を設定変更する。
図２に示されるように、情報記憶部１３１〜１３３は、設定情報処理部１４１〜１４３により初期化された接続先の情報処理装置１１１〜１１３の設定情報１３１ａ〜１３３ｂおよびリーダライタ装置１５１〜１５７の設定情報１３１ｂ〜１３３ｂを記憶する。
【００１４】
また、更に、情報記憶部１３１〜１３３は、それぞれの起動時に、初期化後すなわち設定変更後の下位層における接続先の情報処理装置およびリーダライタ装置の設定情報と、下位層における接続先の情報処理装置の情報記憶部に記憶された各種設定情報を記憶する。
例えば、情報処理装置１１１の情報記憶部１３１は、起動後に、初期化後の情報処理装置１１２および１１３の設定情報、初期化後のリーダライタ装置１５７の設定情報、初期化後の情報処理装置１１２、１１３の情報記憶部１３２、１３３に記憶された各種設定情報をそれぞれ記憶する。
情報記憶部１３１〜１３３は、図２に示されるように、設定情報処理部１４１〜１４３により初期化された接続先の情報処理装置１１１〜１１３の設定情報１３１ａ〜１３３ｂおよびリーダライタ装置１５１〜１５７の設定情報１３１ｂ〜１３３ｂを、情報設定ファイル１３１Ａ〜１３３Ａとして記憶する。
【００１５】
また、情報記憶部１３１〜１３３は、情報設定ファイル１３１Ａ〜１３３Ａおよび接続先の情報処理装置１１１〜１１３の情報記憶部１３１〜１３３に記憶された各種設定情報１３１ｃ〜１３３ｃを、内部保持情報１３１Ｂ〜１３３Ｂとして記憶する。
なお、初期化後の接続先の情報処理装置１１１〜１１３の情報記憶部１３１〜１３３に記憶された各種設定情報１３１ｃ〜１３３ｃとは、例えば、情報処理装置１１１を基準と考えたとき、下位層における接続先の情報処理装置１１２、１１３に接続された情報処理装置１１１〜１１３およびリーダライタ装置１５１〜１５６の初期化後の設定情報を意味する。
【００１６】
例えば、情報処理装置１１１を例にすると、情報処理装置１１１の情報記憶部１３１は、設定情報処理部１４１により初期化された、下位層における接続先の情報処理装置１１２、１１３の設定情報１３１ａおよびリーダライタ１５７の設定情報１３１ｂを、設定情報ファイル１３１Ａとして記憶する。また、情報処理装置１１１の情報記憶部１３１は、設定ファイル１３１Ａおよび下位層における接続先の情報処理装置１１２、１１３の情報記憶部１３２、１３３にそれぞれ記憶された各種設定情報１３２ａ〜１３２ｃ、１３３ａ〜１３３ｃを、内部保持情報１３１Ｂとして記憶する。
【００１７】
情報通知部１２１〜１２３は、当該情報処理装置１１１〜１１３の設定情報、当該情報処理装置１１１〜１１３に直接接続されたリーダライタ装置１５１〜１５７の設定情報および当該情報処理装置１１１〜１１３の情報記憶部１３１〜１３３に記憶された各種情報を、上位層における接続先の情報処理装置１１１〜１１３へ通知する。
【００１８】
例えば、情報処理装置１１２を例にすると、情報処理装置１１２の情報通知部１２２は、当該情報処理装置１１２の設定情報、当該情報処理装置１１２に直接接続されたリーダライタ装置１５１〜１５３の設定情報および当該情報処理装置１１２の情報記憶部１３２に記憶された各種設定情報１３２ａ〜１３２ｃを、上位層における接続先の情報処理装置１１１へ通知する。
なお、情報処理装置１１１〜１１３およびリーダライタ装置１５１〜１５７は、それぞれ固有のＩＤまたはＵＲＬ（Uniform Resource Locator）を有しており、通知先の設定にはこの固有のＩＤやＵＲＬを用いている。
【００１９】
次に、本発明の実施の形態に係る情報システムの動作について、図に基づいて、説明する。
図３は、情報システム起動時における情報システムの動作フローを示す図である。
図４は、情報記憶部に対する登録処理フローを示す図である。図４は、特に図３のＳ２０９、Ｓ２１２の登録処理を詳細に示すフロー図である。
図３について、便宜上、情報処理装置１１１の処理を中心に説明する。
情報処理装置１１１が起動されると、まず、情報処理装置１１１の設定情報処理部１２１は、下位層における接続先の情報処理装置１１２、１１３およびリーダライタ装置１５７の各設定情報を順次取得する（Ｓ３０１）。
【００２０】
設定情報処理部１２１が下位層における接続先の情報処理装置１１２、１１３およびリーダライタ装置１５７の設定情報のいずれの設定情報も取得できない場合（Ｓ３０２）、情報処理装置１１１は処理を終了する。なお、設定情報処理部１２１が、下位層における接続先の情報処理装置１１２、１１３およびリーダライタ装置１５７の設定情報のいずれの設定情報も取得できない場合とは、例えば、下位層における接続先の情報処理装置１１２、１１３の電源が投入されていない場合や情報システム１に通信障害が生じた場合などを想定している。
設定情報処理部１２１が下位層における接続先の情報処理装置１１２、１１３またはリーダライタ装置１５７の設定情報のいずれかの設定情報を取得できた場合（Ｓ３０２）、取得した下位層における接続先の情報処理装置１１２、１１３またはリーダライタ装置１５７の設定情報の設定情報の各々に対して、Ｓ３０３〜Ｓ３１２の処理を繰り返す。
【００２１】
次に、設定情報処理部１２１は、設定情報処理部１２１が取得した設定情報が情報処理装置１１２、１１３の設定情報か、それともリーダライタ装置１５７の設定情報かを判断する（Ｓ３０３、Ｓ３０４）。
設定情報処理部１２１が取得した設定情報が情報処理装置１１２、１１３の設定情報であった場合（Ｓ３０３）、設定情報処理部１２１は、情報処理装置１１１が下位層における接続先の情報処理装置１１２、１１３とデータ通信できるように、下位層における接続先の情報処理装置１１２、１１３の設定情報を初期化する（Ｓ３０５）。
具体的には、設定情報処理部１２１は、例えば、下位層における接続先の情報処理装置１１２、１１３の設定情報のうち、下位層における接続先の情報処理装置１１２、１１３の通信ポートを情報処理装置１１１自身のものと共通の設定にしたり、ＩＰアドレスを一定ルールに従って共通形式に設定したりする。
【００２２】
一方、設定情報処理部１２１が取得した設定情報が、リーダライタ装置１５７の設定情報であった場合（Ｓ３０４）、設定情報検出部１２１は、情報処理装置１１１が接続先のリーダライタ装置１５７とデータ通信できるように、接続先のリーダライタ装置１５７の設定情報を初期化する（Ｓ３０６）。
具体的には、設定情報処理部１２１は、例えば、接続先のリーダライタ装置１５７の設定情報のうち通信ポートを、情報処理装置１１１自身のものと共通の設定にしたり、ＩＰアドレスを一定ルールに従って共通形式に設定したりする。また、設定情報処理部１２１は、リーダライタ装置１５７および無線タグ２００との間の通信速度や通信周波数の設定を、情報処理装置１１１が有する設定に合わせて設定をする。
【００２３】
そして、情報記憶部１３１に、初期化後の接続先のリーダライタ装置１５７の設定情報を記憶する（Ｓ３１２）。
すなわち、図２および図４に示されるように、設定情報処理部１２１は情報記憶部１３１に対して、各種設定情報の登録要求後（Ｓ４０１）、登録要求された設定情報が当該情報処理装置１１１に直接接続されている情報処理装置またはリーダライタ装置かを判定する（Ｓ４０２）。リーダライタ装置１５７は当該情報処理装置１１１に直接接続されているので（Ｓ４０２）、情報記憶部１３１は、情報設定ファイル１３１Ａに、初期化後の接続先のリーダライタ装置１５７の設定情報を接続先のリーダライタ装置の設定情報１３１ｂとして、書き込みを行い（Ｓ４０３）、内部保持情報１３１にリーダライタ装置１５７に関する設定情報を追加する（Ｓ４０４）。
【００２４】
接続先の情報処理装置１１２、１１３の設定情報に対する初期化が成功したときには（Ｓ３０７）、下位層における接続先の情報処理装置１１２、１１３に対して、当該情報処理装置１１２、１１３が認識する各種情報の通知先を、上位層の情報処理装置１１１に設定する（Ｓ３０８）。
このように、設定することにより、情報処理装置１１１は、当該情報処理装置１１１に接続される情報処理装置１１２、１１３等のデバイスの接続状況、すなわち、各種デバイスの接続、切断、変更等の情報を、接続先の情報処理装置１１２、１１３から通知を受けることができるようになる。
【００２５】
一方、接続先の情報処理装置１１２、１１３の設定情報に対する初期化が失敗したときには（Ｓ３０７）、情報記憶部１２１に、初期化前の下位層における接続先の情報処理装置１１２、１１３の設定情報を記憶する（Ｓ３１２）。
このように、情報記憶部１２１に、初期化前の下位層における接続先の情報処理装置１１２、１１３の設定情報を記憶することにより、下位層における情報処理装置１１２、１１３の初期化が行えていない場合であっても、上位層における情報処理装置１１１は、下位層における情報処理装置１１２、１１３の存在を認識できる。これにより、次回、当該情報処理装置１１１の起動時に、情報処理装置１１１は、高速に起動処理を行うことができる。
【００２６】
設定情報処理部１２１が、下位層における接続先の情報処理装置１１２、１１３に対して、当該情報処理装置１１２、１１３が認識する各種情報の通知先を、上位層の情報処理装置１１１に設定した後（Ｓ３０８）、設定情報処理部１２１は、情報記憶部１３１に、初期化後の接続先の情報処理装置１１２、１１３の設定情報を登録する（Ｓ３０９）。
すなわち、図２および図４に示されるように、設定情報処理部１２１は情報記憶部１３１に対して、各種設定情報の登録要求後（Ｓ４０１）、登録要求された設定情報が当該情報処理装置１１１に直接接続されている情報処理装置またはリーダライタ装置かを判定する（Ｓ４０２）。
【００２７】
情報処理装置１１２、１１３は当該情報処理装置１１１に直接接続されているので（Ｓ４０２）、情報記憶部１３１は、情報設定ファイル１３１Ａに、初期化後の接続先の情報処理装置１１２、１１３の設定情報を接続先の情報処理装置の設定情報１３１ａとして書き込みを行い（Ｓ４０３）、内部保持情報１３１に情報処理装置１１２、１１３に関する設定情報を追加する（Ｓ４０４）。
次に、設定情報処理部１２１は、下位層における接続先の情報処理装置１１２、１１３の情報記憶部１３２、１３３に記憶された各種設定情報を取得する（Ｓ２１０）。なお、情報処理装置１１２の情報記憶部１３２に記憶された各種設定情報とは、ここでは、情報処理装置１１２の下位層における接続先であるリーダライタ装置１５１〜１５３の設定情報である。また、情報処理装置１１３の情報記憶部１３３に記憶された各種設定情報とは、ここでは、情報処理装置１１３の下位層における接続先であるリーダライタ装置１５４〜１５６の設定情報である。
【００２８】
次に、設定情報処理部１２１は、情報処理装置１１１が、下位層における情報処理装置１１２、１１３を介して、リーダライタ装置１５１〜１５６とデータ通信できるように、各情報処理装置１１２、１１３の情報記憶部１３２、１３３に記憶された各種設定情報を初期化する（Ｓ３１１）。
具体的には、設定情報処理部１２１は、例えば、情報処理装置１１２、１１３の情報記憶部１３２、１３３に記憶された接続先のリーダライタ装置１５１〜１５６の設定情報のうち通信ポートを、情報処理装置１１１自身のものと共通の設定にしたり、ＩＰアドレスを一定ルールに従って共通形式に設定したりする。また、設定情報処理部１２１は、リーダライタ装置１５１〜１５６および無線タグ２００との間の通信速度や通信周波数の設定を、情報処理装置１１１が有する設定に合わせてた設定とし、情報処理装置１１１がリーダライタ装置１５１〜１５６を制御可能となる設定をする。このときのリーダライタ装置１５１〜１５６および無線タグ２００間の通信速度や通信周波数は、Ｓ３０６で処理したときと同じ値または互いに互換性を有する値で設定する。
【００２９】
次に、情報記憶部１２１に、初期化後の接続先の情報処理装置１１２、１１３の情報記憶部１３２、１３３に記憶されたリーダライタ装置１５１〜１５６の設定情報を記憶する（Ｓ３１２）。
すなわち、図２および図４に示されるように、設定情報処理部１２１は情報記憶部１３１に対して、各種設定情報の登録要求後（Ｓ４０１）、登録要求された設定情報が当該情報処理装置１１１に直接接続されている情報処理装置またはリーダライタ装置かを判定する（Ｓ４０２）。
【００３０】
リーダライタ装置１５１〜１５６は当該情報処理装置１１１に直接接続されていないので（Ｓ４０２）、情報記憶部１３１は、接続先の情報処理装置の情報記憶部に記憶された各種設定情報１３１ｃとして、内部保持情報１３１にリーダライタ装置１５１〜１５６に関する設定情報を追加する（Ｓ４０４）。
同様にして、情報処理装置１１２および１１３も、Ｓ３０１〜Ｓ３１２の処理を行う。
この結果、上位層の情報処理装置１１１の起動時において、情報記憶部１３１に、下位層における接続先の情報処理装置１１２、１１３の設定情報、リーダライタ装置１５７の設定情報および情報処理装置１１２、１１３の情報記憶部１３２、１３３に記憶されたリーダライタ装置１５１〜１５６等の各種設定情報が、上位層における情報処理装置１１１が下位層における接続先の情報処理装置１１２、１１３およびリーダライタ装置１５１〜１５７との間でデータ通信できるように初期化されて記憶される。
【００３１】
そして、情報処理装置１１１は、起動後に、情報記憶部１３１に記憶された初期化後の各種設定情報１３１ａ〜１３１ｃに基づいて、接続先の情報処理装置１１２、１１３との間でデータ通信を行う。同様に、情報処理装置１１２は、情報記憶部１３２に記憶された初期化後の各種設定情報１３２ａ〜１３２ｃに基づいて、接続先の情報処理装置１１１、１１３との間でデータ通信を行う。更に、同様に、情報処理装置１１３は、情報記憶部１３３に記憶された初期化後の各種設定情報１３３ａ〜１３３ｃに基づいて、接続先の情報処理装置１１１、１１３との間でデータ通信を行う。
【００３２】
ここで、第二の情報処理装置としての情報処理装置１１１が、第一の情報処理装置としての接続先の情報処理装置１１２に接続されたリーダライタ装置１５１〜１５３とデータ通信を行うのに、情報処理装置１１１は、その起動時に、情報処理装置１１２に接続されたリーダライタ装置１５１〜１５３の設定情報を取得し、当該情報処理装置１１１が情報処理装置１１２を介してリーダライタ装置１５１〜１５３とデータ通信行えるように、リーダライタ装置１５１〜１５３の設定情報を設定変更して、これを情報記憶部１３１に記憶し、設定変更されたリーダライタ装置１５１〜１５３の設定情報に基づいて、リーダライタ装置１５１〜１５３とデータ通信を行う。
【００３３】
同様に、情報処理装置１１１が、接続先の情報処理装置１１３に接続されたリーダライタ装置１５４〜１５６とデータ通信を行うのに、情報処理装置１１１は、その起動時に、情報処理装置１１３に接続されたリーダライタ装置１５４〜１５６の設定情報を取得し、当該情報処理装置１１１が情報処理装置１１３を介してリーダライタ装置１５４〜１５６とデータ通信行えるように、リーダライタ装置１５４〜１５６の設定情報を設定変更して、これを情報記憶部１３１に記憶し、設定変更されたリーダライタ装置１５４〜１５６の設定情報に基づいて、リーダライタ装置１５４〜１５６とデータ通信を行う。
【００３４】
この結果、情報処理装置１１１は、情報処理装置１１２、１１３に接続されたリーダライタ装置１５１〜１５６の設定情報を常時、直接的に保持・管理することなく、当該リーダライタ装置１５１〜１５６とデータ通信を行えるので、複数の情報処理装置が階層化されて構成された情報システム内で、情報処理装置に接続されたリーダライタ装置の設定情報の管理を簡素化することができる。
【図面の簡単な説明】
【００３５】
【図１】本発明の実施の形態に係る情報システムの構成を示す図である。
【図２】情報処理装置の情報記憶部の内部構成を示す図である。
【図３】情報システム起動時における情報システムの動作フローを示す図である。
【図４】情報記憶部に対する登録処理フローを示す図である。
【符号の説明】
【００３６】
１  情報システム
１１１〜１１３  情報処理装置
１２１〜１２３  設定情報処理部
１３１〜１３３  情報記憶部
１３１Ａ〜１３３Ａ  情報設定ファイル
１３１Ｂ〜１３３Ｂ  内部保持情報
１３１ａ〜１３３ａ  接続先の情報処理装置の設定情報
１３１ｂ〜１３３ｂ  接続先のリーダライタ装置の設定情報
１３１ｃ〜１３３ｃ  接続先の情報処理装置の情報記憶部に記憶された各種設定情報
１４１〜１４３  情報通知部
１５１〜１５７  リーダライタ装置
２００  無線タグ
【図１】
2006277301.tif 000003
【図２】
2006277301.tif 000004
【図３】
2006277301.tif 000005
【図４】
2006277301.tif 000006